(57)【特許請求の範囲】
【請求項１】
情報処理装置にインストールされたプログラムにより、照明空間を評価する照明空間評価方法であって、
ａ）前記照明空間の輝度分布を示す第１輝度画像を、前記情報処理装置の表示部に表示する工程と、
ｂ）前記第１輝度画像に基づいて、前記照明空間から人間が受ける明るさの印象を表した評価値を計算する工程と、
ｃ）前記第１輝度画像に、特定の輝度分布をもつ輝度図形を追加することにより、第２輝度画像を生成する工程と、
ｄ）前記第２輝度画像に基づいて、前記評価値を再計算する工程と、
を有する、照明空間評価方法。
【請求項２】
請求項１に記載の照明空間評価方法であって、
ｅ）前記輝度図形に対して、輝度値が徐々に変化するグラデーションをかける工程
をさらに有する、照明空間評価方法。
【請求項３】
請求項２に記載の照明空間評価方法であって、
前記工程ｅ）では、楕円形の前記輝度図形に対して、長軸方向と短軸方向とで異なる輝度勾配のグラデーションをかける、照明空間評価方法。
【請求項４】
請求項１ないし請求項３のいずれか１項に記載の照明空間評価方法であって、
ｆ）前記輝度図形に対応する照明器具の情報を、前記表示部に表示する工程
をさらに有する、照明空間評価方法。
【請求項５】
情報処理装置にインストールされて、前記情報処理装置に、
ａ）照明空間の輝度分布を示す第１輝度画像を、前記情報処理装置の表示部に表示する工程と、
ｂ）前記第１輝度画像に基づいて、前記照明空間から人間が受ける明るさの印象を表した評価値を計算する工程と、
ｃ）前記第１輝度画像に、特定の輝度分布をもつ輝度図形を追加することにより、第２輝度画像を生成する工程と、
ｄ）前記第２輝度画像に基づいて、前記評価値を再計算する工程と、
を実行させる、照明空間評価プログラム。
【請求項６】
請求項５に記載の照明空間評価プログラムであって、
前記情報処理装置に、
ｅ）前記輝度図形に対して、輝度値が徐々に変化するグラデーションをかける工程
をさらに実行させる、照明空間評価プログラム。
【請求項７】
請求項６に記載の照明空間評価プログラムであって、
前記工程ｅ）では、楕円形の輝度図形に対して、長軸方向と短軸方向とで異なる輝度勾配のグラデーションをかける、照明空間評価プログラム。
【請求項８】
請求項５ないし請求項７のいずれか１項に記載の照明空間評価プログラムであって、
前記情報処理装置に、
ｆ）前記輝度図形に対応する照明器具の情報を、前記表示部に表示する工程
をさらに実行させる、照明空間評価プログラム。
【請求項９】
情報処理装置を備えた照明空間評価装置であって、
前記情報処理装置にインストールされたプログラムにより、
照明空間の輝度分布を示す輝度画像に基づいて、前記照明空間から人間が受ける明るさの印象を表した評価値を計算する算出部と、
前記輝度画像に、特定の輝度分布をもつ輝度図形を追加する輝度図形追加部と、
の各機能を実現し、
前記算出部は、前記輝度図形追加部による輝度図形の追加の前後において、前記評価値を計算する、照明空間評価装置。
【請求項１０】
請求項９に記載の照明空間評価装置であって、
前記照明空間の画像を撮影するカメラをさらに有し、
前記プログラムにより、
前記照明空間の撮影画像から、前記輝度画像を生成する輝度画像生成部
の機能をさらに実現する、照明空間評価装置。
【発明の詳細な説明】
【技術分野】
【０００１】
本発明は、人間が受ける明るさの印象を表した評価値を用いて照明空間を評価する、照明空間評価方法、照明空間評価プログラム、および照明空間評価装置に関する。
【背景技術】
【０００２】
従来、照明空間の設計においては、「照度」を用いて明るさを評価することが一般的であった。しかしながら、照度は、受光面の単位面積あたりに入射する光の量を示すものであるため、照度による評価と、照明空間全体から人間が受ける明るさの印象とは、必ずしも一致しない。特に、近年では、ＬＥＤ照明器具の発展により、空間に対する光の照射方法が多様化している。このため、照度を用いた評価だけでは、照明空間の明るさを適切に把握することが難しくなっている。また、照明器具の消費電力を抑えながら、全体として明るい印象の照明空間を設計したい、という要求も高まっている。
【０００３】
そこで、近年、照明空間から人間が受ける明るさの印象を表した「明るさ感」と称される評価値を用いて、照明空間を評価する試みがなされている。「明るさ感」に関する既往研究ついては、例えば、非特許文献１および非特許文献２に示されている。非特許文献１には、視野の輝度分布から推定される色モード境界輝度に基づいて、「明るさ感」を算出することが、記載されている。一方、非特許文献２には、算術平均輝度と輝度の常用対数値の標準偏差とを所定の数式に代入することにより、「明るさ感」を算出することが、記載されている。
【先行技術文献】
【非特許文献】
【０００４】
【非特許文献１】岩井彌、「空間の明るさ感評価指標「Ｆｅｕ」の開発と照明設計への適用」、照明学会誌、平成２１年、第９３巻、第１２号、ｐ.９０７−９１２
【非特許文献２】高秉佑、他５名、「輝度のばらつきを考慮した空間の明るさ感の予測に関する基礎的研究」、照明学会誌、平成２５年、第９７巻、第８号、ｐ.４２９−４３５
【発明の概要】
【発明が解決しようとする課題】
【０００５】
非特許文献１には、照明空間における輝度分布のシミュレーション結果から「明るさ感」を算出し、照明設計の善し悪しを評価したいくつかの事例が記載されている。しかしながら、従来の評価方法では、算出した「明るさ感」が許容できる範囲から外れていた場合に、照明器具の配置をどのように変更すれば「明るさ感」が理想値に近づくのかを、コンピュータ上で直ちに知ることはできなかった。
【０００６】
このため、従来の評価方法では、設計ソフトで照明の配置を変更したＣＡＤデータを作り直したり、実在の照明空間に照明器具を配置し直したりした後に、当該照明空間の輝度分布を取得し、再度「明るさ感」を算出する等、明るさを評価し直す必要があった。そして、評価対象の照明空間が所望の状態となるまで、このようなトライアンドエラーを繰り返して、照明設計を行う必要があった。
【０００７】
本発明は、このような事情に鑑みなされたものであり、照明空間を理想状態に近づけるための設計作業を短縮できる、照明空間評価方法、照明空間評価プログラム、および照明空間評価装置を提供することを目的とする。
【課題を解決するための手段】
【０００８】
上記課題を解決するため、本願の第１発明は、情報処理装置にインストールされたプログラムにより、照明空間を評価する照明空間評価方法であって、ａ）前記照明空間の輝度分布を示す第１輝度画像を、前記情報処理装置の表示部に表示する工程と、ｂ）前記第１輝度画像に基づいて、前記照明空間から人間が受ける明るさの印象を表した評価値を計算する工程と、ｃ）前記第１輝度画像に、特定の輝度分布をもつ輝度図形を追加することにより、第２輝度画像を生成する工程と、ｄ）前記第２輝度画像に基づいて、前記評価値を再計算する工程と、を有する。
【０００９】
本願の第２発明は、第１発明の照明空間評価方法であって、ｅ）前記輝度図形に対して、輝度値が徐々に変化するグラデーションをかける工程、をさらに有する。
【００１０】
本願の第３発明は、第２発明の照明空間評価方法であって、前記工程ｅ）では、楕円形の前記輝度図形に対して、長軸方向と短軸方向とで異なる輝度勾配のグラデーションをかける。
【００１１】
本願の第４発明は、第１発明ないし第３発明のいずれか１つの照明空間評価方法であって、ｆ）前記輝度図形に対応する照明器具の情報を、前記表示部に表示する工程、をさらに有する。
【００１２】
本願の第５発明は、照明空間評価プログラムであって、情報処理装置にインストールされて、前記情報処理装置に、ａ）照明空間の輝度分布を示す第１輝度画像を、前記情報処理装置の表示部に表示する工程と、ｂ）前記第１輝度画像に基づいて、前記照明空間から人間が受ける明るさの印象を表した評価値を計算する工程と、ｃ）前記第１輝度画像に、特定の輝度分布をもつ輝度図形を追加することにより、第２輝度画像を生成する工程と、ｄ）前記第２輝度画像に基づいて、前記評価値を再計算する工程と、を実行させる。
【００１３】
本願の第６発明は、第５発明の照明空間評価プログラムであって、前記情報処理装置に、ｅ）前記輝度図形に対して、輝度値が徐々に変化するグラデーションをかける工程、をさらに実行させる。
【００１４】
本願の第７発明は、第６発明の照明空間評価プログラムであって、前記工程ｅ）では、楕円形の輝度図形に対して、長軸方向と短軸方向とで異なる輝度勾配のグラデーションをかける。
【００１５】
本願の第８発明は、第５発明ないし第８発明のいずれか１つの照明空間評価プログラムであって、前記情報処理装置に、ｆ）前記輝度図形に対応する照明器具の情報を、前記表示部に表示する工程、をさらに実行させる。
【００１６】
本願の第９発明は、情報処理装置を備えた照明空間評価装置であって、前記情報処理装置にインストールされたプログラムにより、照明空間の輝度分布を示す輝度画像に基づいて、前記照明空間から人間が受ける明るさの印象を表した評価値を計算する算出部と、前記輝度画像に、特定の輝度分布をもつ輝度図形を追加する輝度図形追加部と、の各機能を実現し、前記算出部は、前記輝度図形追加部による輝度図形の追加の前後において、前記評価値を計算する。
【００１７】
本願の第１０発明は、第９発明の照明空間評価装置であって、前記照明空間の画像を撮影するカメラをさらに有し、前記プログラムにより、前記照明空間の撮影画像から、前記輝度画像を生成する輝度画像生成部の機能をさらに実現する。
【発明の効果】
【００１８】
本願の第１発明〜第１０発明によれば、単一のプログラム上で、輝度画像に輝度図形を追加するとともに、その前後における評価値を得ることができる。このため、照明空間内のどの位置にどのような照明器具を追加すれば、評価値が理想値に近づくのかを、直ちに知ることができる。これにより、照明空間の設計作業を短縮できる。
【００１９】
特に、本願の第２発明または第６発明によれば、輝度図形に、実際の照明器具に近い輝度分布を付与することができる。したがって、より精度の高い評価値を得ることができる。
【００２０】
特に、本願の第３発明または第７発明によれば、グラデーションの輝度勾配を、照明空間の縦、横、奥行きの縮尺の違いに応じて変化させることができる。これにより、輝度図形に、実際の照明器具により近い輝度分布を付与することができる。
【００２１】
特に、本願の第４発明または第８発明によれば、照明空間に追加すべき照明器具を、容易に知ることができる。
【００２２】
特に、本願の第１０発明によれば、実在の照明空間に対して、評価値を向上させるための設計を行うことができる。
【図面の簡単な説明】
【００２３】
【図１】照明空間評価方法を実現するためのシステム構成の例を示した図である。
【図２】照明空間評価方法の実行手順を示したフローチャートである。
【図３】表示部に表示されるウインドウの例を示した図である。
【図４】表示部に表示されるウインドウの例を示した図である。
【図５】表示部に表示されるウインドウの例を示した図である。
【図６】表示部に表示されるウインドウの例を示した図である。
【図７】輝度図形の作成例を示した図である。
【図８】照明空間評価プログラムがインストールされた携帯端末の例を示した図である。
【図９】照明空間評価プログラムがインストールされた携帯端末の例を示した図である。
【図１０】携帯端末の使用時の様子を示した図である。
【発明を実施するための形態】
【００２４】
以下、本発明の好適な実施形態について、図面を参照しつつ説明する。
【００２５】
＜１．第１実施形態＞
＜１−１．照明空間評価方法を実現するためのシステム構成について＞
図１は、本発明の第１実施形態に係る照明空間評価方法を実現するためのシステム構成の例を示した図である。図１では、本発明における「情報処理装置」の一例として、コンピュータ１が用いられている。コンピュータ１には、例えば、汎用のパーソナルコンピュータを適用することができる。図１に示すように、コンピュータ１は、コンピュータ本体１０と、表示部２０と、入力部３０とを有する。表示部２０および入力部３０は、それぞれ、コンピュータ本体１０と電気的に接続されている。
【００２６】
コンピュータ本体１０は、ＣＰＵ等の演算処理部（図示省略）、ＲＡＭ等のメモリ（図示省略）、およびハードディスクドライブ等の記憶部１１を有する。記憶部１１は、図１のように、コンピュータ本体１０を構成するハードウエアの一部であってもよく、あるいは、コンピュータ本体１０に接続された外付けの記憶装置であってもよい。
【００２７】
表示部２０は、照明空間評価プログラム９の実行時に、後述するウインドウ２１を表示するためのデバイスである。表示部２０には、例えば、液晶ディスプレイが使用される。入力部３０は、コンピュータ本体１０に対して種々のコマンドを入力するためのデバイスである。入力部３０には、例えば、キーボードやマウスが使用される。ユーザは、表示部２０を確認しながら、入力部３０を操作して、種々のコマンドをコンピュータ本体１０に入力できる。
【００２８】
なお、表示部２０の機能と、入力部３０の機能との双方が、タッチパネル式のディスプレイなどの単一のデバイスにより、実現されていてもよい。
【００２９】
照明空間評価プログラム９は、照明空間の設計を補助するためのソフトウエアである。図１に示すように、照明空間評価プログラム９は、ＣＤやＤＶＤなどのコンピュータ１により読み取り可能な記憶媒体９０から読み取られて、記憶部１１に記憶される。ただし、照明空間評価プログラム９は、ネットワーク経由でコンピュータ本体１０にダウンロードされるものであってもよい。
【００３０】
照明空間評価プログラム９がコンピュータ本体１０にインストールされると、図１中に概念的に示したように、コンピュータ本体１０内において、輝度画像生成部１２、表示出力部１３、入力指示部１４、明るさ感算出部１５、および輝度図形追加部１６の各機能が実現される。コンピュータ本体１０は、記憶部１１から読み出した照明空間評価プログラム９に従って演算処理を行うことにより、上記の各機能を実行する。
【００３１】
輝度画像生成部１２は、他の設計ソフトによって作成された照明空間のＣＡＤデータ８１から、輝度の情報を抽出することにより、輝度画像８３を生成する。輝度画像８３は、画像内の座標位置ごとに、輝度の大きさを示す情報を有する。すなわち、輝度画像８３は、照明空間をある位置から見たときの輝度の分布を示す画像となる。なお、図１に示すように、本実施形態の輝度画像生成部１２は、カメラ４０によって取得された撮影画像８２を、輝度画像８３に変換することもできる。
【００３２】
表示出力部１３は、表示部２０の画面上に、照明空間評価プログラム９のグラフィカルユーザインタフェースとなるウインドウ２１を表示させる。また、表示出力部１３は、ウインドウ２１内に、輝度画像８３に関する種々の情報や、各種コマンドを実行するためのボタン等を表示する。
【００３３】
入力指示部１４は、入力部３０からの入力信号に基づいて、コンピュータ本体１０内の各機能に動作指示を与える。輝度画像生成部１２、表示出力部１３、明るさ感算出部１５、および輝度図形追加部１６は、上述した照明空間評価プログラム９と、入力指示部１４からの動作指示とに従って、各々の機能を実行する。
【００３４】
明るさ感算出部１５は、輝度画像８３に基づいて、明るさ感８５を計算する。明るさ感８５は、評価対象の照明空間において人間が受ける明るさの印象を表した評価値である。明るさ感８５は、例えば、輝度画像８３内における算術平均輝度と、輝度の常用対数値の標準偏差とを、所定の数式に代入することによって得られる。ただし、本発明における評価値は、算術平均輝度と輝度の常用対数値の標準偏差とに基づいて算出される値に限らず、輝度画像８３内の輝度の情報を用いて、予め定められた方法で算出される値であればよい。
【００３５】
輝度図形追加部１６は、入力指示部１４からの動作指示に基づき、輝度画像８３に輝度図形８４を追加する。コンピュータ本体１０内の記憶部１１には、予め複数の輝度図形８４が記憶されている。各輝度図形８４は、照明空間に追加可能な照明器具に対応した特定の輝度分布を有する。輝度画像８３内に輝度図形８４を追加すると、輝度画像８３内の当該部分が、輝度図形８４に応じた輝度分布に変更される。
【００３６】
＜１−２．照明空間評価方法の実行手順について＞
続いて、図１のシステムにおける照明空間評価方法の実行手順について、図２のフローチャートを参照しつつ、説明する。
【００３７】
本実施形態の照明空間評価方法を実行するときには、まず、コンピュータ本体１０内の照明空間評価プログラム９を起動させる（ステップＳ１）。具体的には、ユーザが、表示部２０を参照しながら、入力部３０を操作することにより、コンピュータ本体１０に、照明空間評価プログラム９の起動指示を与える。照明空間評価プログラム９が起動すると、図１に示した輝度画像生成部１２、表示出力部１３、入力指示部１４、明るさ感算出部１５、および輝度図形追加部１６の各機能が能動化される。
【００３８】
次に、表示出力部１３が、表示部２０の画面に、照明空間評価プログラム９のウインドウ２１を表示する（ステップＳ２）。図３は、ウインドウ２１の例を示した図である。図３のウインドウ２１内には、輝度画像８３を表示するための画像表示領域２１１が、設けられている。また、画像表示領域２１１の上部には、輝度画像生成ボタン２１２と、明るさ感算出ボタン２１３とが、配置されている。また、画像表示領域２１１の右隣には、輝度画像８３に輝度図形８４を追加するための輝度図形編集部２１４と、追加済みの輝度図形８４を一覧表示するリスト表示部２１５とが、配置されている。また、画像表示領域２１１の下部には、輝度画像８３内の輝度に関する種々の情報（明るさ感、輝度の平均値、輝度のばらつき、輝度の最小値、および輝度の最大値）を表示するための情報表示部２１６が、配置されている。また、情報表示部２１６のさらに下側には、照明空間の用途を選択する用途選択部２１７が、配置されている。
【００３９】
ユーザは、入力部３０を操作して、輝度画像生成ボタン２１２を選択するとともに、評価対象となる照明空間のＣＡＤデータ８１または撮影画像８２を指定する。そうすると、輝度画像生成部１２が、当該ＣＡＤデータ８１または撮影画像８２から、輝度画像８３を生成する（ステップＳ３）。ここで生成される輝度画像８３は、本発明における「第１輝度画像」に相当する。輝度画像８３が生成されると、表示出力部１３は、図４のように、ウインドウ２１内の画像表示領域２１１に、当該輝度画像８３を表示する（ステップＳ４）。
【００４０】
次に、ユーザは、入力部３０を操作して、明るさ感算出ボタン２１３を選択する。そうすると、明るさ感算出部１５が、輝度画像８３に基づいて明るさ感８５を計算する（ステップＳ５）。明るさ感８５が算出されると、表示出力部１３は、図５のように、ウインドウ２１内の情報表示部２１６に、算出された明るさ感８５の値を表示する。この際、当該輝度画像８３に関する輝度の平均値、輝度のばらつき、輝度の最小値、および輝度の最大値の情報も、情報表示部２１６に、併せて表示される。輝度のばらつきの欄には、例えば、輝度の常用対数値の標準偏差が表示される。
【００４１】
また、ユーザは、用途選択部２１７のプルダウンメニューを操作することによって、照明空間の用途（例えば、執務室、レストラン、店舗、リビング、寝室など）を選択することができる。コンピュータ本体１０の記憶部１１には、予め、各用途に適した明るさ感８５の数値範囲が、記憶されている。用途選択部２１７において照明空間の用途が選択されると、当該用途に対応する数値範囲が記憶部１１から読み出されて、用途選択部２１７の隣に表示される。ユーザは、算出された明るさ感８５の値と、表示された数値範囲とを比較して、照明空間が適切な設計になっているかどうかを判断することができる。
【００４２】
続いて、ユーザは、輝度画像８３に輝度図形８４を追加するかどうかを選択する（ステップＳ６）。輝度図形８４を追加する場合には、輝度図形編集部２１４において、予め用意された輝度図形８４の中から任意の図形を選択するとともに、グラデーションの設定を行う。これにより、選択された輝度図形８４に、輝度値が徐々に変化するグラデーションが施される。そして、グラデーション済みの輝度図形８４が、画像表示領域２１１に現れる。
【００４３】
ユーザは、入力部３０を操作して、輝度画像８３上の任意の位置に、輝度図形８４を配置する。そうすると、輝度図形追加部１６が、輝度画像８３に輝度図形８４を合成して、新たな輝度画像８３を生成する（ステップＳ７）。図６は、輝度図形８４追加後のウインドウ２１の例を示している。このように、輝度図形８４の追加により新たに生成される輝度画像８３は、本発明における「第２輝度画像」に相当する。
【００４４】
図６のように、ウインドウ２１内のリスト表示部２１５には、輝度画像８３に追加された輝度図形８４が、一覧表示される。また、コンピュータ１内の記憶部１１には、各輝度図形８４と実在の照明器具との対応関係が、予め記憶されている。コンピュータ１は、その対応関係を参照して、リスト表示部２１５に、各輝度図形８４に対応する照明器具を特定するための情報（照明器具の名称や型番など）を表示する。
【００４５】
その後、ユーザは、入力部３０を操作して、明るさ感算出ボタン２１３を選択する。そうすると、明るさ感算出部１５が、輝度図形８４追加後の輝度画像８３に基づいて、明るさ感８５を再計算する（ステップＳ５）。そして、表示出力部１３が、情報表示部２１６の明るさ感８５の値を、再計算された明るさ感８５の値に書き換える。また、情報表示部２１６に表示された輝度の平均値、輝度のばらつき、輝度の最小値、および輝度の最大値の情報も、新たな値に書き換える。
【００４６】
以後、ユーザは、所望の結果が得られるまで、輝度図形８４の追加（ステップＳ７）と、明るさ感８５の再計算（ステップＳ５）とを繰り返す。そして、納得する結果が得られたら、終了ボタン２１８を選択して、ウインドウ２１を閉じ、照明空間評価プログラム９を終了させる（ステップＳ８）。
【００４７】
このように、この照明空間評価プログラム９を用いれば、単一のプログラム上で、輝度画像８３に輝度図形８４を追加するとともに、その前後における明るさ感８５の値を得ることができる。このため、他の設計ソフトでＣＡＤデータを作り直したり、実在の照明空間に照明器具を配置し直したりすることなく、当該照明空間に照明器具を追加した場合の明るさ感８５の変化を、直ちに知ることができる。したがって、トライアンドエラーの手間を削減でき、照明空間を理想状態に近づけるための設計作業を、大幅に短縮できる、
【００４８】
また、本実施形態の照明空間評価プログラム９では、輝度図形８４に対して、輝度値が徐々に変化するグラデーションをかけることができる。このため、輝度図形８４に、実際の照明器具に近い輝度分布を付与することができる。したがって、明るさ感８５の変化を、より精度よく評価することができる。
【００４９】
なお、輝度画像８３は、三次元の照明空間を二次元に表しているため、縦、横、奥行きの縮尺が、互いに異なる場合がある。このため、当該縮尺の違いに応じた輝度図形８４を作成することが好ましい。図７は、この点を考慮した輝度図形８４の作成例を示した図である。図７の例では、縦、横、奥行きの縮尺の違いを考慮して、輝度図形８４が楕円に成形されている。また、当該輝度図形８４に対して、楕円の中心Ｏから外側へ向かうにつれて輝度が徐々に低下するように、グラデーションがかけられている。ただし、短軸方向（点Ｏと点Ａとの間）は、長軸方向（点Ｏと点Ｂとの間）よりも、輝度勾配が急となっている。その結果、点Ａと点Ｂとが、同等の輝度に設定されている。
【００５０】
このように、縦、横、奥行きの縮尺の違いに応じて、グラデーションの勾配を調整すれば、照明器具を追加したときの輝度分布の変化を、より精度良くシミュレーションすることができる。したがって、明るさ感８５の変化を、より精度良く評価することができる。
【００５１】
また、本実施形態では、輝度画像８３上に配置された各輝度図形８４に対応する照明器具の情報が、リスト表示部２１５に一覧表示される。このため、ユーザは、追加した輝度図形８４に対応する照明器具を別途調べることなく、照明空間評価プログラム９のウインドウ２１上で、照明空間に追加すべき照明器具を、容易に知ることができる。これにより、照明空間の設計作業を、さらに短縮できる。
【００５２】
＜２．第２実施形態＞
続いて、本発明の第２実施形態について説明する。第２実施形態では、スマートフォンやタブレット型ＰＣ等の携帯端末２を用いて、照明空間評価方法を実現する。すなわち、第２実施形態では、携帯端末２が、本発明の「情報処理装置」に相当する。
【００５３】
図８および図９は、携帯端末２の例を示した図である。図１０は、携帯端末２の使用時の様子を示した図である。これらの図に示すように、携帯端末２の前面には、操作部の機能を兼ね備えたタッチパネル式の表示部５１が、設けられている。また、携帯端末２は、筐体の内部に、ＣＰＵ等の演算処理部、ＲＡＭ等の記憶部、およびバッテリーを有する。また、図１０に破線で示したように、携帯端末２の背面には、照明空間１００を撮影するカメラ５２が設けられている。
【００５４】
この携帯端末２では、照明空間評価プログラムが、いわゆるアプリ（アプリケーションソフトウエア）として、ネットワークからダウンロードされる。そして、携帯端末２に照明空間評価プログラムがインストールされると、第１実施形態の輝度画像生成部１２、表示出力部１３、入力指示部１４、明るさ感算出部１５、および輝度図形追加部１６と同等の機能が、携帯端末２において実現される。ただし、携帯端末２の画面サイズの制限等を考慮して、一部の機能が省略されていてもよい。
【００５５】
照明空間評価プログラムを起動させると、携帯端末２の表示部５１に、図８および図９の画面が表示される。これらの画面は、スクロールによって切り替え可能となっている。
【００５６】
図８の画面では、表示部５１に、画像表示領域５１１、輝度図形選択部５１２、および明るさ感表示部５１３が、表示されている。画像表示領域５１１には、輝度画像８３が表示される。ユーザは、輝度図形選択部５１２において、予め用意された複数の輝度図形８４の中から、任意の輝度図形８４を選んで、輝度画像８３上に追加することができる。また、携帯端末２は、輝度図形８４の追加前および追加後における明るさ感８５を計算し、明るさ感表示部５１３に表示する。
【００５７】
一方、図９の画面に切り替えると、情報表示部５１４と、用途選択部５１５とが現れる。情報表示部５１４には、輝度画像８３内の輝度に関する種々の情報（明るさ感、輝度の平均値、輝度のばらつき、輝度の最小値、および輝度の最大値）が表示される。また、ユーザが、用途選択部５１５において、照明空間の用途を選択すると、当該用途に適した明るさ感８５の数値範囲が表示される。
【００５８】
このような携帯端末２を用いれば、図１０のように、実在の照明空間１００を、携帯端末２のカメラ５２で撮影し、取得された撮影画像を、携帯端末２内の照明空間評価プログラムに入力することができる。したがって、当該撮影画像から生成された輝度画像８３に基づいて、照明空間１００の明るさ感８５を評価することができる。また、図８の画面に表示された輝度画像８３に、輝度図形８４を追加して、明るさ感８５がどのように変化するかを、その場で知ることができる。このように、評価対象となる照明空間１００の現場において、携帯端末２を見ながら、快適性を高めるための検討や提案を行うことができる。
【００５９】
＜３．変形例＞
以上、本発明の主たる実施形態について説明したが、本発明は、上記の実施形態に限定されるものではない。
【００６０】
上記の第１実施形態および第２実施形態では、汎用のコンピュータ１または汎用の携帯端末２を用いていたが、同等の機能を有する情報処理装置を用いて、照明空間を評価するための専用の照明空間評価装置を構成してもよい。
【００６１】
また、上記の第１実施形態では、ユーザが、ウインドウ２１内の明るさ感算出ボタン２１３を選択することによって、明るさ感８５の算出処理が実行されていた。しかしながら、このユーザの操作を省略し、輝度画像８３の表示後すぐに、あるいは、輝度図形８４の追加後すぐに、コンピュータ本体１０内の明るさ感算出部１５が、自動的に明るさ感８５を算出するようにしてもよい。
【００６２】
また、照明空間評価プログラム９がインストールされたコンピュータ１または携帯端末２は、追加した輝度図形８４を削除する機能や、輝度画像８３を初期状態に戻す機能を、さらに有していてもよい。
【００６３】
また、上記の第１実施形態および第２実施形態では、照明空間評価プログラムによって実現される機能の中に、輝度画像８３を生成する機能が含まれていた。しかしながら、輝度画像８３の生成自体は、他のソフトウエアで行い、生成済みの輝度画像８３を、照明空間評価プログラムに入力するようにしてもよい。
【００６４】
また、コンピュータ１の表示部２０に表示されるウインドウ２１や、携帯端末２の表示部５１の画面は、同等の内容を表示するものであれば、他の表示態様であってもよい。例えば、各種ボタンや各種情報の表示位置については、本願の各図に示した通りの位置でなくてもよい。また、一部の情報が、ポップアップウインドウ等の別ウインドウに表示されるようになっていてもよい。また、プルダウンメニュー等の操作ツールを、公知の他の操作ツールに置き換えてもよい。
【００６５】
また、本願の図４〜図８では、輝度画像８３および輝度図形８４を、グレースケールで示した。しかしながら、輝度画像８３および輝度図形８４は、輝度の値に応じて多色に色分けされて、表示部にカラー表示されるようになっていてもよい。
【００６６】
また、上記の第１実施形態および第２実施形態の輝度画像８３は、ある方向から見た輝度値そのものの分布を示すものであった。しかしながら、本発明における「輝度画像」は、視野全体との対比における各画素の相対的な明るさなど、輝度値から二次的に得られる尺度値の分布を示す画像またはデータであってもよい。また、本発明における「輝度画像」は、複数の方向から見た明るさの分布を示す画像またはデータであってもよい。
【００６７】
また、上記の各実施形態や変形例に登場した各要素を、矛盾が生じない範囲で、任意に組み合わせてもよい。
【符号の説明】
【００６８】
１  コンピュータ
２  携帯端末
９  照明空間評価プログラム
１０  コンピュータ本体
１１  記憶部
１２  輝度画像生成部
１３  表示出力部
１４  入力指示部
１５  明るさ感算出部
１６  輝度図形追加部
２０  表示部
２１  ウインドウ
３０  入力部
４０  カメラ
５１  表示部
５２  カメラ
８１  ＣＡＤデータ
８２  撮影画像
８３  輝度画像
８４  輝度図形
８５  明るさ感
９０  記憶媒体
１００  照明空間
２１１  画像表示領域
２１２  輝度画像生成ボタン
２１３  明るさ感算出ボタン
２１４  輝度図形編集部
２１５  リスト表示部
２１６  情報表示部
２１７  用途選択部
５１１  画像表示領域
５１２  輝度図形選択部
５１３  明るさ感表示部
５１４  情報表示部
５１５  用途選択部
【図１】
0005997718.tif 000002
【図２】
0005997718.tif 000003
【図１０】
0005997718.tif 000004
【図３】
0005997718.tif 000005
【図４】
0005997718.tif 000006
【図５】
0005997718.tif 000007
【図６】
0005997718.tif 000008
【図７】
0005997718.tif 000009
【図８】
0005997718.tif 000010
【図９】
0005997718.tif 000011